【手続補正書】
【提出日】平成30年8月17日(2018.8.17)
【手続補正１】
【補正対象書類名】特許請求の範囲
【補正対象項目名】全文
【補正方法】変更
【補正の内容】
【特許請求の範囲】
【請求項１】
各々が各地理的ロケーションにおいて各シーンを照明する、複数の光源と、
前記光源の各々からの照明内に各透かし信号を埋め込む１つ以上のコントローラと、
プライバシーデータベースと、
カメラにより取り込まれた前記シーンの１つの画像から前記各透かし信号を検出し、検出した前記透かし信号を前記プライバシーデータベースにおいて検索する画像処理モジュールを備えるデバイスと、
を備え、
前記プライバシーデータベースが、各プライバシー設定を、異なる各地理的ロケーションにおいて各シーンを照明する光に埋め込まれた複数の透かし信号の各々にマッピングし、前記画像処理モジュールが、前記プライバシー設定に基づいて前記地理的ロケーションにおける前記各シーンの前記画像の使用を選択的に阻止するプライバシーフィルタを備える、システム。
【請求項２】
カメラにより取り込まれたシーンの画像を保護するための画像処理モジュールを備えるデバイスであって、前記画像処理モジュールが、
前記画像に関連付けて、各地理的ロケーションにおいて前記シーンを照明する光に埋め込まれた透かし信号を検出する透かし検出器と、
検出した前記透かし信号をプライバシーデータベースにおいて検索するプライバシーフィルタと、
を備え、
前記プライバシーデータベースが、各プライバシー設定を、異なる各地理的ロケーションにおいて各シーンを照明する光に埋め込まれた複数の透かし信号の各々にマッピングし、前記プライバシーフィルタが、前記プライバシー設定に基づいて前記地理的ロケーションにおける前記各シーンの前記画像の使用を選択的に阻止する、デバイス。
【請求項３】
前記透かし検出器が前記画像から前記透かし信号を検出する、請求項２に記載のデバイス又は請求項１に記載のシステム。
【請求項４】
選択的な前記阻止は、前記検出した透かしに対するプライバシー設定が前記プライバシーデータベースで見つけられるという条件で前記画像の使用を阻止することを含む、請求項１乃至３のいずれか一項に記載のデバイス又はシステム。
【請求項５】
前記データベース内の前記プライバシー設定の各々が、プライバシー保護を有しないとして前記シーンを規定する保護されていないレベルと、少なくとも或るプライバシー度を有するとして前記シーンを規定する少なくとも１つのプライバシー保護されたレベルと、を含む少なくとも２つの可能な分類レベルのうち１つを指定し、前記選択的な阻止は、前記検出した透かしに対する前記プライバシー設定がプライバシー保護されたレベルを指定するという条件で前記画像の使用を阻止することを含む、請求項４に記載のデバイス又はシステム。
【請求項６】
前記データベース内の前記プライバシー設定の各々は、異なるプライバシー度を有するとして各レベルが前記シーンを規定する複数のプライバシー保護されたレベルを含む２つ以上の可能な分類レベルのうち１つを指定し、前記選択的な阻止が、前記検出した透かしにマッピングされた前記分類レベルに関連付けて前記画像の使用の程度を阻止することを含む、請求項４又は５に記載のデバイス又はシステム。
【請求項７】
前記プライバシー保護されたレベルの少なくともいくつかが、前記画像の使用を認可されたユーザの異なるカテゴリに対応し、前記選択的な阻止が、前記検出した透かしにマッピングされた前記分類レベルに従って、認可されたユーザ以外のユーザによる前記画像の使用の少なくとも１つのタイプを防止することを含む、請求項６に記載のデバイス又はシステム。
【請求項８】
前記選択的な阻止が、前記検出した透かしにマッピングされた前記プライバシー設定に応じて、以下の使用のタイプ、
（ａ）前記画像を前記デバイスの任意のローカルストレージに記録すること、
（ｂ）前記画像を任意の外部デバイスと共有すること、
（ｃ）前記画像を１つ以上の認可デバイスを除く任意の外部デバイスと共有すること、
（ｄ）前記画像を１つ以上の禁止されたデバイスと共有すること、
（ｅ）前記画像を１人以上の認可ユーザの１つ以上のデバイスを除く任意の外部デバイスと共有すること、
（ｆ）前記画像を１人以上の禁止されたユーザの１つ以上の外部デバイスと共有すること、
（ｇ）前記画像を任意のネットワークを介して送信すること、
（ｈ）前記画像を１つ以上の認可ネットワークを除く任意のネットワークを介して送信すること、
（ｉ）前記画像を１つ以上の禁止されたネットワークを介して送信すること、
（ｊ）前記画像を１つ以上の認可アドレス以外の任意のネットワークアドレスに送信すること、
（ｋ）前記画像を１つ以上の禁止されたネットワークアドレスに送信すること、
（ｌ）前記画像をインターネットを介して送信すること、
（ｍ）前記画像をインターネットを介して公開すること、
（ｎ）前記画像を任意のウェブサイトにアップロードすること、
（ｏ）前記画像を１つ以上の認可ウェブサイトを除く任意のウェブサイトにアップロードすること、
（ｐ）前記画像を１つ以上の禁止されたウェブサイトにアップロードすること、
（ｑ）前記画像を任意のソーシャルメディアサービスにアップロードすること、
（ｒ）前記画像を１つ以上の認可ソーシャルメディアサービスを除く任意のソーシャルメディアサイトにアップロードすること、
（ｓ）前記画像を１つ以上の禁止されたソーシャルメディアサービスにアップロードすること、
（ｔ）前記画像を任意の外部デバイスから受領すること、
（ｕ）前記画像を１つ以上の認可デバイスを除く任意の外部デバイスから受領すること、
（ｖ）前記画像を１つ以上の禁止されたデバイスから受領すること、
（ｗ）前記画像を前記カメラから受領すること、
（ｘ）前記画像を表示すること、
（ｙ）前記画像のコピーを生成すること、及び／又は
（ｚ）前記画像を公開すること、
のうち１つ以上を前記デバイスが実行することを選択的に防止することを備える、請求項１乃至７のいずれか一項に記載のデバイス又はシステム。
【請求項９】
前記プライバシー保護されたレベルの少なくともいくつかは、（ａ）から（ｚ）のうちどの異なる組み合わせが防止されるかを指定する、請求項６又は７に従属する請求項８に記載のデバイス又はシステム。
【請求項１０】
前記プライバシー保護されたレベルの少なくともいくつかは、異なるユーザカテゴリに対して（ａ）から（ｚ）のうちどの異なる組み合わせが防止されるかを指定する、請求項７に従属する請求項９に記載のデバイス。
【請求項１１】
前記デバイスが、前記画像処理モジュールと同一のユニット内に組み込まれた前記カメラを備える、請求項１乃至１０のいずれか一項に記載のデバイス又はシステム。
【請求項１２】
前記デバイスが、
前記カメラとは別個のユニット内で実装され、前記カメラから前記画像を受信するためのインタフェースを備えるユーザデバイスであるか、又は
１つ以上の場所において１つ以上のサーバユニットを備え、前記カメラとは別個であり、ネットワークを介して前記画像を受信するためのネットワークインタフェースを備えるサーバである、請求項１乃至１１のいずれか一項に記載のデバイス又はシステム。
【請求項１３】
前記プライバシーデータベースが、前記透かし信号を前記各地理的ロケーションにマッピングする第１の構成要素データベースと、前記地理的ロケーションを前記各プライバシー設定にマッピングする第２の構成要素データベースと、を備える、請求項１乃至１２のいずれか一項に記載のデバイス又はシステム。
【請求項１４】
前記データベースにおける前記プライバシー設定の少なくとも１つが時間の関数である、請求項１乃至１３のいずれか一項に記載のデバイス又はシステム。
【請求項１５】
前記デバイスが、前記カメラにより受信される光に情報を埋め込むこと以外に媒体を介して相補コードを受信し、前記プライバシーフィルタが、前記相補コードを用いて前記透かしを検証又は復号し、検出した透かしの検証又は復号が成功しない場合にデフォルトで前記画像の使用を自動的に阻止する、請求項１乃至１４のいずれか一項に記載のデバイス又はシステム。
【請求項１６】
支払いインフラストラクチャを更に備え、前記支払いインフラストラクチャが、前記地理的ロケーションのうち少なくとも１つに関連した支払いを受領し、更に、前記支払いに基づいて、
前記少なくとも１つの地理的ロケーションに関心を持っているパーティが、支払いをして各透かしを前記プライバシーデータベースに登録すること、及び／若しくは前記各プライバシー設定を選択することを可能とするか、又は、
前記少なくとも１つの地理的ロケーションの画像の使用を望むパーティが前記相補コードを受信することを可能とする、請求項１又は請求項３乃至１５のいずれか一項に記載のシステム。
【請求項１７】
カメラにより取り込まれたシーンの画像を保護するための方法であって、
前記画像に関連付けて、各地理的ロケーションにおいて前記シーンを照明する光に埋め込まれた透かし信号を検出することと、
検出した前記透かし信号をプライバシーデータベースにおいて検索することと、
を備え、
前記プライバシーデータベースが、各プライバシー設定を、異なる各地理的ロケーションにおいて各シーンを照明する光に埋め込まれた複数の透かし信号の各々にマッピングし、当該方法が、前記プライバシー設定に基づいて前記地理的ロケーションにおける前記各シーンの前記画像の使用を選択的に阻止することを備える、方法。
【請求項１８】
複数の地理的ロケーションの各々において各シーンを照明することと、
前記シーンの各々を照明する前記照明内に各透かし信号を埋め込むことと、
を更に備え、前記検出が、前記シーンのうち１つにおいて前記カメラにより取り込まれた画像に関連付けて前記各透かし信号を検出することを含み、
前記検索が各透かしに基づく、請求項１７に記載の方法。
【請求項１９】
前記プライバシーデータベースに前記透かし信号のうち少なくともいくつかが登録された状態を維持することを更に備える、請求項１７又は１８に記載の方法。
【請求項２０】
前記地理的ロケーションのうち少なくとも１つに関連した支払いを受領すること、及び、これに応答して、
前記少なくとも１つの地理的ロケーションに関心を持っているパーティが、支払いをして前記各透かしを前記プライバシーデータベースに登録することを可能とすること、及び／若しくは前記各透かしにマッピングされた各プライバシー設定を選択することを可能とすること、又は、
画像の使用を望むパーティに、前記各透かしを検証又は復号するための相補コードを提供すること、を更に備える、請求項１８又は１９に記載の方法。
【請求項２１】
コンピュータ読み取り可能媒体上に記憶されたコンピュータプログラムであって、前記コンピュータプログラムがコンピュータにロードされて実行された場合に、請求項１７又は請求項２０に記載の方法を実施するためのプログラムコード命令を備える、コンピュータプログラム。